(57)【要約】【課題】ディスク装置におけるディスクトレイの係止機構の衝撃耐久性を向上し、機構的信頼性を向上する。【解決手段】記録媒体Ｄを装填するディスクトレイ１をシャーシケース８内で前進後退させてロード／アンロードするため、前記ディスクトレイ１を支持するスライドレール６の係止片６ｃとガイドレール７の係止段部７ａとによりディスクトレイ１の最大引出位置を定めるようにしたディスク装置Ａにおいて、前記スライドレール６の係止片６ｃとガイドレール７の係止段部７ａとの当接面の一方または両方を傾斜状に形成する。【選択図】      図１
2005025895.tif 000002
【特許請求の範囲】
【請求項１】
記録媒体を装填するディスクトレイをシャーシケース内で前進後退させてロード／アンロードするため、前記ディスクトレイを支持するスライドレールの係止片とガイドレールの係止段部とによりディスクトレイの最大引出位置を定める係止機構を備えたディスク装置において、
前記スライドレールの係止片とガイドレールの係止段部との当接面の一方または両方を傾斜状に形成したことを特徴とするディスク装置。
【請求項２】
スライドレールの係止片とガイドレールの係止段部との当接面の一方または両方を水平方向で左傾または右傾となる傾斜状に形成したことを特徴とする請求項１記載のディスク装置。
【請求項３】
スライドレールの係止片とガイドレールの係止段部との当接面の一方または両方を垂直方向で上り勾配または下り勾配となる傾斜状に形成したことを特徴とする請求項１記載のディスク装置。
【請求項４】
記録媒体を装填するディスクトレイをシャーシケース内で前進後退させてロード／アンロードするため、前記ディスクトレイを支持するスライドレールの係止段部とディスクトレイの係止凸部とによりディスクトレイの最大引出位置を定める係止機構を備えたディスク装置において、
前記スライドレールの係止段部とディスクトレイの係止凸部との当接面の一方または両方を傾斜状に形成したことを特徴とするディスク装置。
【請求項５】
スライドレールの係止段部とディスクトレイの係止凸部との当接面の一方または両方を水平方向で左傾または右傾となる傾斜状に形成したことを特徴とする請求項４記載のディスク装置。
【請求項６】
スライドレールの係止段部とディスクトレイの係止凸部との当接面の一方または両方を垂直方向で上り勾配または下り勾配となる傾斜状に形成したことを特徴とする請求項５記載のディスク装置。
【請求項７】
記録媒体を装填するディスクトレイをシャーシケース内で前進後退させてロード／アンロードするため、前記ディスクトレイを支持するスライドレールの係止片とガイドレールの係止段部およびスライドレールの係止段部とディスクトレイの係止凸部とによりディスクトレイの最大引出位置を定める係止機構を備えたディスク装置において、
前記スライドレールの係止片とガイドレールの係止段部との当接面の一方または両方および前記スライドレールの係止段部とディスクトレイの係止凸部との当接面の一方または両方を傾斜状に形成したことを特徴とするディスク装置。
【発明の詳細な説明】
【０００１】
【発明の属する技術分野】
本発明は、記録媒体として普及しているＣＤ（Ｃｏｍｐａｃｔ  Ｄｉｓｃ）あるいはＤＶＤ（Ｄｉｇｉｔａｌ  Ｖｅｒｓａｔｉｌｅ  Ｄｉｓｃ）などの光ディスクをドライブするディスク装置に関するもので、ディスクトレイのアンロード時にこのディスクトレイの最大引出位置を確定するための係止機構の改良に関する。
【０００２】
【従来の技術】
一般にパーソナルコンピュータ（以下、パソコンという）などの情報機器本体には光ディスクをドライブするディスク装置が内蔵され、一体化されており、光ディスクにより情報の記録再生が行われる（例えば、特許文献１）。図１４は、このようなディスク装置を内蔵したノート型パソコンの外観を示すもので、通常、この場合のディスク装置Ａは、スイッチ操作あるいはパソコン本体からの指令によりディスクトレイ１がポップアウトし、さらにパソコンの使用者がディスクトレイ１を引き出し、光ディスクＤを装填するようにしている。
【０００３】
図１５は、特にノート型パソコンに多く採用されているディスク装置Ａの外観を示すもので、合成樹脂で成形されたディスクトレイ１の中央に、直下に配したスピンドルモータ２の駆動軸に固定されたターンテーブル３が配置され、このターンテーブル３に一体構成されたクランプヘッド４で光ディスクＤの中心孔をクランプし、回転力を伝達するようにしている。また、光ピックアップを主体に構成したヘッドユニット５は、ディスクトレイ１に形成されたスリット１ａ内を半径方向に移動し、光ディスクＤによる情報の記録再生を行うようにしている。そして、このように構成されているディスクトレイ１は、スライドレール６に支持されてシャーシケース８内に収まるようにしている。
【０００４】
前記シャーシケース８は、アルミニウム、マグネシウムなどの軽金属で成型されており、図１６に示すごとくベースシャーシ８ａとカバーシャーシ８ｂからなり、ベースシャーシ８ａの開口をカバーシャーシ８ｂで覆い、ネジ止めされている。そして、ベースシャーシ８ａの両側には、合成樹脂製のガイドレール７が固定され、このガイドレール７内に前記スライドレール６が遊動状態で前進後退可能に支持されている。さらに、前記スライドレール６は、ディスクトレイ１の両側に形成された凸条１ｂを遊動状態で前進後退可能に支持し、これによりディスクトレイ１をロード方向（Ｘ１方向）およびアンロード方向（Ｘ２方向）に前進後退可能となるようにしている。
【０００５】
このように、ディスクトレイ１は、図１７に示すように二重のスライド構造で支持されているため、円滑な前進後退が可能となる。そして、ディスクトレイ１をロードしてシャーシケース８内に収めると、ディスクトレイ１に内蔵されているイジェクト／ロック機構が作動してディスクトレイ１をシャーシケース８内の定位置に停止させ、光ディスクＤのドライブが可能となるようにしている。
【０００６】
一方、アンロードによりディスクトレイ１をシャーシケース８から引き出す場合、その最大引出位置を定め、ディスクトレイ１を停止させなければならない。かかる作用を実現する係止機構は、図１８に示すスライドレール６とガイドレール７とによる端部構造と、図２０に示すスライドレール６とディスクトレイ１の裏面の後端部とによる端部構造とにより構成されている。
【０００７】
図１９は、このスライドレール６の構成を示すもので、長尺状であって断面コ字状であり、内溝６ａにディスクトレイ１の凸条１ｂが遊嵌してスライド可能となるようにし、ディスクトレイ１の裏面の後端部に形成した係止凸部が当接する係止段部６ｂが形成されている。そして、スライドレール６の後端部には係止片６ｃが起立成形されており、図１８に示すように組み立てられたとき、前記係止片６ｃがガイドレール７の係止段部７ａで係止されるように構成されている。
【０００８】
図２０は、スライドレール６とディスクトレイ１の裏面の端部構造を示すもので、ディスクトレイ１の裏面であって後端部の凸条１ｂの背面に係止凸部１ｃが形成されており、同図に示すように組み立てられたとき、ディスクトレイ１がアンロード方向（矢印Ｘ２方向）に前進すると、前記凸条１ｂがスライドレール６の係止段部６ｂに当接して係止されるように構成してある。
【０００９】
つぎに、スライドレール６およびディスクトレイ１がアンロード方向にスライドして平行移動する状態を図２１にもとづいて説明する。まず、図２１（Ａ）は、スライドレール６の係止片６ｃがガイドレール７の係止段部７ａに当接し、スライドレール６が最大引出位置で停止している状態であり、ディスクトレイ１の引出操作が更に進行すると、やがてディスクトレイ１の係止凸部１ｃがスライドレール６の係止段部６ｂに当接し、図２１（Ｃ）に示すようにディスクトレイ１はその最大引出位置で停止する。
【００１０】
図２１（Ｂ）は、ディスクトレイ１の引出操作において、ディスクトレイ１の係止凸部１ｃがスライドレール６の係止段部６ｂへ先に当接した状態を示すもので、この場合は、前記係止凸部１ｃでスライドレール６が牽引される状態となる。そして、ディスクトレイ１の引出操作が更に進行すると、やがてスライドレール６の係止片６ｃがガイドレール７の係止段部７ａに当接し、図２１（Ｃ）に示すようにディスクトレイ１はその最大引出位置で停止する。
【００１１】
【特許文献１】
特願２００２−３１８３６１号
【００１２】
【発明が解決しようとする課題】
このように従来のディスク装置では、薄型化など構造的に要求される条件があるため、特にディスクトレイの係止機構を大掛かりなものとすることができないため、前述したような必要十分な構成としている。このような構成のディスク装置においても、装置の扱いに慣れた使用者による場合、ディスクトレイの操作に無理な外力を与えないようにすることができ、問題を発生するものではなかった。
【００１３】
ところが、パソコンの操作に不慣れであったり、未熟な使用者によりディスクトレイ１を強引に引き出すような操作が行われると、スライドレール６の係止片６ｃとガイドレール７の係止段部７ａおよびデスクトレイ１の係止凸部１ｃとスライドレール６の係止段部６ｂが激しく当接し、例えば、図２２に示すようにガイドレール７の係止段部７ａにひび割れＣが生じたり破損する不具合が発生するに至った。また、通常の操作をしていても、前記係止段部７ａおよび係止凸部１ｃには衝撃が集中するため、経時的に前記不具合を発生する問題を残すものであった。
【００１４】
本発明は、かかる従来の問題に鑑みなされたもので、従来のディスク装置の基本的構成を変更することなく、前述した構成により発生する衝撃を可及的に緩和できるようにしたもので、ディスク装置の機構的信頼性を向上するようにしたものである。
【００１５】
【課題を解決するための手段】
そこで本発明は、以下に述べる各手段により上記課題を解決するようにした。即ち、請求項１記載の発明では、記録媒体を装填するディスクトレイをシャーシケース内で前進後退させてロード／アンロードするため、前記ディスクトレイを支持するスライドレールの係止片とガイドレールの係止段部とによりディスクの最大引出位置を定める係止機構を備えたディスク装置において、前記スライドレールの係止片とガイドレールの係止段部との当接面の一方または両方を傾斜状に形成する。
【００１６】
請求項２記載の発明では、上記請求項１記載の発明において、スライドレールの係止片とガイドレールの係止段部との当接面の一方または両方を水平方向で左傾または右傾となる傾斜状に形成する。
【００１７】
請求項３記載の発明では、上記請求項１記載の発明において、スライドレールの係止片とガイドレールの係止段部との当接面の一方または両方を垂直方向で上り勾配または下り勾配となる傾斜状に形成する。
【００１８】
請求項４記載の発明では、記録媒体を装填するディスクトレイをシャーシケース内で前進後退させてロード／アンロードするため、前記ディスクトレイを支持するスライドレールの係止段部とディスクトレイの係止凸部とによりディスクの最大引出位置を定める係止機構を備えたディスク装置において、前記スライドレールの係止段部とディスクトレイの係止凸部との当接面の一方または両方を傾斜状に形成する。
【００１９】
請求項５記載の発明では、上記請求項４記載の発明において、スライドレールの係止段部とディスクトレイの係止凸部との当接面の一方または両方を水平方向で左傾または右傾となる傾斜状に形成する。
【００２０】
請求項６記載の発明では、上記請求項４記載の発明において、スライドレールの係止段部とディスクトレイの係止凸部との当接面の一方または両方を垂直方向で上り勾配または下り勾配となる傾斜状に形成する。
【００２１】
請求項７記載の発明では、記録媒体を装填するディスクトレイをシャーシケース内で前進後退させてロード／アンロードするため、前記ディスクトレイを支持するスライドレールの係止片とガイドレールの係止段部およびスライドレールの係止段部とディスクトレイの係止凸部とにより最大引出位置を定める係止機構を備えたディスク装置において、前記スライドレールの係止片とガイドレールの係止段部との当接面の一方または両方および前記スライドレールの係止段部とディスクトレイの係止凸部との当接面の一方または両方を傾斜状に形成する。
【００２２】
【発明の実施の形態】
以下、本発明の実施の形態を図にもとづいて詳細に説明する。なお、従来と同一の構成部分には同一の符号を付してその説明を省略する。
【００２３】
図１は、本発明を実施したディスク装置の斜視図であり、従来の構成と同様に、ベースシャーシ８ａの両側に固定された合成樹脂製のガイドレール７にスライドレール６が遊動状態で前進後退可能に支持され、さらにこのスライドレール６によりディスクトレイ１の両側に形成された凸条１ｂを遊動状態で前進後退可能に支持するようにしている。
【００２４】
そして、前記ガイドレール７の係止段部７ａは、図２に示すように傾斜面となるように形成されている。この係止段部７ａの傾斜方向は、第１実施例においては、図３乃至図４に示すようにガイドレール７の係止段部７ａを水平方向で傾斜角θ１の左傾または傾斜角θ２の右傾の傾斜面となるように形成してある。これにより、スライドレール６の係止片６ｃは、ガイドレール７の係止段部７ａの傾斜面に当接することになる。したがって、図５に示すように係止片６ｃが係止段部７ａに当接した場合の力Ｆは、力Ｆ１・Ｆ２・Ｆ３に分散され、係止段部７ａが受ける衝撃が緩和される。
【００２５】
図６乃至図７は、本発明の第２実施例であり、ガイドレール７の係止段部７ａを傾斜角θ１の左傾の傾斜面とした場合、スライドレール６の係止片６ｃの当接面も傾斜角θ１を備える傾斜面となるようにした。図７は、ガイドレールの係止段部７ａを傾斜角θ２の右傾の斜面としたもので、スライドレール６の係止片６ｃの当接面も傾斜角θ２を備える傾斜面となるようにした。これにより、係止片６ｃと係止段部７ａは面接触で当接することになり、当接時の衝撃をより緩和することができる。
【００２６】
図８乃至図９は、本発明の第３実施例であり、スライドレール６の係止片６ｃとガイドレール７の係止段部７ａの当接面が傾斜面となるようにしたもので、図８に示す構成では、垂直方向で上り勾配の傾斜角θ３の傾斜面をスライドレール６の係止片６ｃとガイドレール７の係止段部７ａに形成した。また、図９に示す構成では、垂直方向で下り勾配の傾斜角θ４の傾斜面をスライドレール６の係止片６ｃとガイドレール７の係止段部７ａに形成した。この場合も係止片６ｃと係止段部７ａは面接触で当接することになり、当接時の衝撃をより緩和することができる。
【００２７】
図１０乃至図１１は、本発明の第４実施例であり、スライドレール６の係止段部６ｂとディスクトレイ１の係止凸部１ｃの当接面を傾斜面となるようにした。この場合、図１０に示すように水平方向で傾斜角θ５を備える傾斜面をスライドレール６の係止段部６ｂとディスクトレイ１の係止凸部１ｃに形成するか、図１１に示すように水平方向で傾斜角θ６を備える傾斜面をスライドレール６の係止段部６ｂとディスクトレイ１の係止凸部１ｃに形成する。これにより、係止段部６ｂと係止凸部１ｃは面接触で当接することになり、当接時の衝撃をより緩和することができる。
【００２８】
図１２乃至図１３は、本発明の第５実施例であり、これもスライドレール６の係止段部６ｂとディスクトレイ１の係止凸部１ｃの当接面を傾斜面となるようにした。この場合、図１２に示すように垂直方向で傾斜角θ７を備える傾斜面をスライドレール６の係止段部６ｂとディスクトレイ１の係止凸部１ｃに形成するか、図１３に示すように垂直方向で傾斜角θ８を備える傾斜面をスライドレール６の係止段部６ｂとディスクトレイ１の係止凸部１ｃに形成する。この場合も、係止段部６ｂと係止凸部１ｃは面接触で当接することになり、当接時の衝撃を緩和することができる。
【００２９】
【発明の効果】
以上、詳細に説明したように請求項１乃至請求項３記載の発明によれば、スライドレールの係止片とガイドレールの係止段部とによる係止機構において、前記係止片と係止段部の一方または両方を傾斜状に形成したことから、係止段部に当接する係止片による衝撃を緩和することができ、係止段部の耐久性を向上することができる。
【００３０】
また、請求項４乃至請求項６記載の発明によれば、スライドレールの係止段部とディスクトレイの係止凸部とによる係止機構において、前記係止段部と係止凸部の一方または両方を傾斜状に形成したことから、係止凸部に当接する係止段部による衝撃を緩和することができ、係止凸部の耐久性を向上することができる。
【００３１】
さらに、請求項７記載の発明によれば、スライドレールの係止片とガイドレールの係止段部ならびにスライドレールの係止段部とディスクトレイの係止凸部とによる係止機構において、前記係止片と係止段部の一方または両方ならびに前記係止段部と係止凸部の一方または両方を傾斜状に形成したことから、係止段部に当接する係止片による衝撃ならびに係止凸部に当接する係止段部による衝撃を緩和することができるので、ガイドレールの係止段部ならびにディスクトレイの係止凸部の耐久性を向上してディスク装置の機構的信頼性を向上することができる。
【図面の簡単な説明】
【図１】本発明を実施したディスク装置の斜視図である。
【図２】本発明の実施状態の斜視図である。
【図３】本発明の第１実施例の斜視図である。
【図４】本発明の第１実施例の他の例を示す斜視図である。
【図５】本発明の作用を説明するための図である。
【図６】本発明の第２実施例の斜視図である。
【図７】本発明の第２実施例の他の例を示す斜視図である。
【図８】本発明の第３実施例の斜視図である。
【図９】本発明の第３実施例の他の例を示す斜視図である。
【図１０】本発明の第４実施例の斜視図である。
【図１１】本発明の第４実施例の他の例を示す斜視図である。
【図１２】本発明の第５実施例の斜視図である。
【図１３】本発明の第５実施例の他の例を示す斜視図である。
【図１４】ノート型パソコンの外観を示す図である。
【図１５】ディスク装置の斜視図である。
【図１６】ディスク装置の内部の構成を示す図である。
【図１７】ディスクトレイのスライド構造を示す断面図である。
【図１８】スライドレールの係止機構の構成を示す斜視図である。
【図１９】スライドレールを示す斜視図である。
【図２０】ディスクトレイの係止機構の構成を示す斜視図である。
【図２１】係止機構の動作態様を説明するための図である。
【図２２】従来の係止機構の不具合を説明するための図である。
【符号の説明】
１・・・・・・ディスクトレイ
２・・・・・・スピンドルモータ
３・・・・・・ターンテーブル
４・・・・・・クランプヘッド
５・・・・・・ヘッドユニット
６・・・・・・スライドレール
７・・・・・・ガイドレール
７ａ・・・・・係止段部
８・・・・・・シャーシケース
【図１】
2005025895.tif 000003
【図２】
2005025895.tif 000004
【図３】
2005025895.tif 000005
【図４】
2005025895.tif 000006
【図５】
2005025895.tif 000007
【図６】
2005025895.tif 000008
【図７】
2005025895.tif 000009
【図８】
2005025895.tif 000010
【図９】
2005025895.tif 000011
【図１０】
2005025895.tif 000012
【図１１】
2005025895.tif 000013
【図１２】
2005025895.tif 000014
【図１３】
2005025895.tif 000015
【図１４】
2005025895.tif 000016
【図１５】
2005025895.tif 000017
【図１６】
2005025895.tif 000018
【図１７】
2005025895.tif 000019
【図１８】
2005025895.tif 000020
【図１９】
2005025895.tif 000021
【図２０】
2005025895.tif 000022
【図２１】
2005025895.tif 000023
【図２２】
2005025895.tif 000024